(57)【要約】【課題】許容コピー個数が設定されたデジタルコンテンツをコピーした場合、当該コピーされたデジタルコンテンツを消去すれば、減少した許容コピー個数を回復することができるデジタルコンテンツコピー装置を提供すること。【解決手段】デジタルコンテンツ消去処理制御部２４は、ユーザによって消去指定されたコピーデジタルコンテンツ１１１が、デジタルコンテンツコピー装置１により記録媒体２にコピー記録されたことがデジタルコンテンツ確認部２３によって確認された場合、前記コピーデジタルコンテンツ１１１を記録媒体２から消去すると共に、コピー元デジタルコンテンツ１０１の許容コピー個数を１個加算するようにコピー処理履歴管理部２２に指示する。【選択図】図１
2010015225.tif 000002
【特許請求の範囲】
【請求項１】
デジタルコンテンツコピー装置の記録装置に記録された、許容コピー個数が設定されたデジタルコンテンツを記録媒体にコピーするデジタルコンテンツコピー装置において、
前記許容コピー個数をカウンタに設定し、当該デジタルコンテンツのコピーを前記記録媒体に記録するごとに前記カウンタの値を１個減算し、
前記記録媒体に記録した前記デジタルコンテンツのコピーを前記デジタルコンテンツコピー装置によって消去するごとに前記カウンタの値を１個加算し、当該カウンタの計数値が０の場合には前記記録媒体に対するコピーの記録を禁止することを特徴とするデジタルコンテンツコピー装置。
【請求項２】
前記デジタルコンテンツを前記記録媒体にコピーする際に、デジタルコンテンツと共に当該デジタルコンテンツ及び前記デジタルコンテンツコピー装置を特定する識別情報を記録することを特徴とする請求項１に記載のデジタルコンテンツコピー装置。
【請求項３】
前記デジタルコンテンツコピー装置によって前記記録媒体に記録された前記デジタルコンテンツを消去する際に、前記記録媒体に記録された前記識別情報に基づいて、消去する前記デジタルコンテンツが当該デジタルコンテンツコピー装置により記録されたことが確認された場合、当該デジタルコンテンツを消去した際に、前記カウンタの値を１個加算することを特徴とする請求項２に記載のデジタルコンテンツコピー装置。
【請求項４】
前記デジタルコンテンツコピー装置は、当該コピー装置の記録装置に前記デジタルコンテンツ毎に許容コピー個数、記録媒体に対するコピー履歴、記録媒体に記録されたデジタルコンテンツの消去履歴を記録する欄を有するテーブルを備え、前記許容コピー個数の初期値として当該デジタルコンテンツに設定された許容コピー個数を設定し、前記コピー履歴を記録する毎に前記許容コピー個数欄の数を１個減算し、前記消去履歴を記録する毎に前記許容コピー個数欄の数を１個加算することにより前記カウンタを構成することを特徴とする請求項１〜３のいずれかに記載のデジタルコンテンツコピー装置。
【請求項５】
前記コピー履歴の記録はコピーの日時情報であり、前記消去履歴の記録は消去日時であることを特徴とする請求項４に記載のデジタルコンテンツコピー装置。
【発明の詳細な説明】
【技術分野】
【０００１】
本発明は、デジタルコンテンツをコピーするデジタルコンテンツコピー装置に係わり、特に、コピーの許容個数（以下、許容コピー個数と記す）が設定されたデジタルコンテンツのコピー個数を管理できるデジタルコンテンツコピー装置に関する。
【背景技術】
【０００２】
地上デジタル放送を受信してＨＤＤレコーダ等に記録する場合、記録したデジタルコンテンツは、２００７年の時点では、１回だけコピー可能である（コピーワンス）。このコピーワンスでは、放送を録画することを１回目のコピーと見なす仕組みであるため、一旦録画したコンテンツを別の記録媒体にコピー（複写）することはできず、ムーブ（移動）のみ可能となる。
【０００３】
そのため、バックアップ用のデータを作成することもできず、コンテンツを記録している記録媒体を破壊してしまった場合や別の記録媒体へのムーブ中に機器が誤動作してデータが消えてしまった場合に、コンテンツが再生できなくなるとの問題があった。そこで、視聴者の便宜を考え、デジタルコンテンツをコピーしたコピーデジタルコンテンツを９個（枚）まで生成することができるいわゆるダビング１０という方式が検討されている。
【０００４】
特許文献１には、コピーの許容回数が設定されたデジタルコンテンツのコピー回数が所定値以上の場合にのみコピー記録動作を許可する技術が開示されている。
【特許文献１】特開２００１−２５０３２４号公報
【発明の開示】
【発明が解決しようとする課題】
【０００５】
しかし、特許文献１に開示の技術では、許容コピー個数が設定されたデジタルコンテンツを例えば誤操作によりコピーした場合でも、許容コピー個数が減少してしまう。
また、誤ってコピーされたデジタルコンテンツを消去しても、前記許容コピー個数を回復することができないという問題があった。
【０００６】
本発明は、かかる実情に鑑みてなされたものであり、許容コピー個数が設定されたデジタルコンテンツをコピーした場合、当該コピーされたデジタルコンテンツを消去すれば、減少した許容コピー個数を回復することができるデジタルコンテンツコピー装置を提供することを目的とする。
【課題を解決するための手段】
【０００７】
第１の技術手段は、デジタルコンテンツコピー装置の記録装置に記録された、許容コピー個数が設定されたデジタルコンテンツを記録媒体にコピーするデジタルコンテンツコピー装置において、前記許容コピー個数をカウンタに設定し、当該デジタルコンテンツのコピーを前記記録媒体に記録するごとに前記カウンタの値を１個減算し、前記記録媒体に記録した前記デジタルコンテンツのコピーを前記デジタルコンテンツコピー装置によって消去するごとに前記カウンタの値を１個加算し、当該カウンタの計数値が０の場合には前記記録媒体に対するコピーの記録を禁止することを特徴とするデジタルコンテンツコピー装置である。
【０００８】
第２の技術手段は、第１の技術手段において、前記デジタルコンテンツを前記記録媒体にコピーする際に、デジタルコンテンツと共に当該デジタルコンテンツ及び前記デジタルコンテンツコピー装置を特定する識別情報を記録することを特徴とする。
【０００９】
第３の技術手段は、第２の技術手段において、前記デジタルコンテンツコピー装置によって前記記録媒体に記録された前記デジタルコンテンツを消去する際に、前記記録媒体に記録された前記識別情報に基づいて、消去する前記デジタルコンテンツが当該デジタルコンテンツコピー装置により記録されたことが確認された場合、当該デジタルコンテンツを消去した際に、前記カウンタの値を１個加算することを特徴とする。
【００１０】
第４の技術手段は、第１〜第３のいずれかの技術手段において、前記デジタルコンテンツコピー装置は、当該コピー装置の記録装置に前記デジタルコンテンツ毎に許容コピー個数、記録媒体に対するコピー履歴、記録媒体に記録されたデジタルコンテンツの消去履歴を記録する欄を有するテーブルを備え、前記許容コピー個数の初期値として当該デジタルコンテンツに設定された許容コピー個数を設定し、前記コピー履歴を記録する毎に前記許容コピー個数欄の数を１個減算し、前記消去履歴を記録する毎に前記許容コピー個数欄の数を１個加算することにより前記カウンタを構成することを特徴とする。
【００１１】
第５の技術手段は、第４の技術手段において、前記コピー履歴の記録はコピーの日時情報であり、前記消去履歴の記録は消去日時であることを特徴とする。
【発明の効果】
【００１２】
本発明により、許容コピー個数が設定されたデジタルコンテンツをコピーした場合、当該コピーされたデジタルコンテンツを消去すれば、減少した許容コピー個数を回復することができるデジタルコンテンツコピー装置を提供することができ、ユーザの利便性が向上する。
【発明を実施するための最良の形態】
【００１３】
図１は、本発明に係わるデジタルコンテンツコピー装置１の機能を説明するためのブロック図である。
【００１４】
１１は、ネットワークＩ／Ｆで、ネットワークＮに対するインターフェイス機能を提供する。ネットワークＩ／Ｆ１１は、例えば、コンテンツ配信サーバ（図示しない）から配信されるデジタルコンテンツを、ネットワークＮを介して受信し、デジタルコンテンツコピー装置１に記録する。
【００１５】
１２は、操作部で、デジタルコンテンツコピー装置１を操作する。なお、操作部１２は、リモコンから構成してもよい。
１３は、表示部で、デジタルコンテンツコピー装置１の状態情報等を表示する。
【００１６】
１４は、記録媒体装着部で、フラッシュメモリ、ＳＤカード、ＤＶＤなどの記録媒体２をデジタルコンテンツコピー装置１に装着するためのインターフェイスとして機能する。記録媒体２には、ＨＤＤ１５に記録されているデジタルコンテンツ１０１をコピーしたコピーデジタルコンテンツ１１１が記録されている。
【００１７】
ＨＤＤ１５は、大容量記録装置で、ここではデジタルコンテンツ１０１が記録されている。デジタルコンテンツ１０１は、上記のダビング１０の場合には、許容コピー個数の初期値として９個が設定されたデジタルコンテンツで、例えば、ネットワークＩ／Ｆ１１等を介してデジタルコンテンツコピー装置１に記録されたものである。
１６は、制御部で、各機能ブロックを制御する。
【００１８】
２１は、コピー／ムーブ制御部で、ＨＤＤ１５に記録されているデジタルコンテンツのコピー処理、ムーブ処理（移動処理）を制御する。
【００１９】
２２は、コピー処理履歴管理部で、コピー／ムーブ制御部２１が、ＨＤＤ１５に記録されているデジタルコンテンツを同ＨＤＤ１５、記録媒体２等にコピーした場合に、当該コピー処理に係わる様々な履歴情報を管理する。
【００２０】
より詳細に説明すると、許容コピー個数が設定されたデジタルコンテンツがＨＤＤ１５に新たに記録されると、後述するカウンタに、前記許容コピー個数を設定する。
そして、デジタルコンテンツのコピーを記録媒体２に記録するごとにカウンタの値を１個減算し、記録媒体２に記録したデジタルコンテンツのコピーをデジタルコンテンツコピー装置１によって消去するごとにカウンタの値を１個加算する。
【００２１】
また、コピー／ムーブ制御部２１がＨＤＤ１５に記録されたデジタルコンテンツを記録媒体２にコピーする際に、コピー処理履歴管理部２２は、コピーデジタルコンテンツと共に、当該デジタルコンテンツ及びデジタルコンテンツコピー装置１を特定する識別情報を記録する。また、識別情報をＨＤＤ１５などに記録するが、当該記録は必須ではない。なお、識別情報については、後述する。
【００２２】
図２は、前記カウンタとして機能するカウンタテーブル５０の一例を示したものである。
カウンタテーブル５０には、デジタルコンテンツコピー装置１のＨＤＤ１５に記録されているデジタルコンテンツ毎に許容コピー個数、記録媒体２に対するコピー履歴、記録媒体２に記録されたコピーデジタルコンテンツの消去履歴を記録する欄を有する。
【００２３】
５１は、許容コピー個数が記録される欄で、図示例では、ファイル名：デジタルコンテンツＸで特定されるデジタルコンテンツに設定された許容コピー個数の初期値例えば９個、現在の許容コピー個数８個（下線参照）が記録されている。
５２ａは、記録媒体２に対するコピー履歴、例えばコピーの日時情報を記録する欄で、５２ｂは、記録媒体２に記録されたコピーデジタルコンテンツの消去履歴、例えば消去の日時を記録する欄である。
【００２４】
図３は、記録媒体２に記録される識別情報１１２の一例を示した図である。
識別情報１１２は、コピーデジタルコンテンツ１１１に対応して記録されており、例えばコピーデジタルコンテンツ１１１のヘッダ領域などに記録される。
【００２５】
識別情報１１２は、コピー元デジタルコンテンツ１０１を識別する情報、及び、コピーデジタルコンテンツ１１１を記録媒体２に記録したデジタルコンテンツコピー装置１を識別する情報から構成される。図３では、識別情報１１２の一例として、デジタルコンテンツコピー装置１を識別する“ＤＣＣＰＹＭ１”、及び、コピー元デジタルコンテンツ１０１を識別する“ＤＣＸ１”からなる文字列“ＤＣＣＰＹＭ１＿ＤＣＸ１”が示されている。
なお、前記コピー元デジタルコンテンツ１０１を識別する“ＤＣＸ１”の他にも、当該コピー元デジタルコンテンツ１０１をＨＤＤ１５に記録した日時情報例えば“２００８０６０１０８１０”でもよい。
【００２６】
図１の符号２３は、デジタルコンテンツ確認部で、デジタルコンテンツコピー装置１によって記録媒体２に記録されたコピーデジタルコンテンツを消去する際に、記録媒体２に記録された識別情報に基づいて、消去するデジタルコンテンツがデジタルコンテンツコピー装置１により記録媒体２にコピー記録されたか否かを確認する。なお、確認方法については後述する。
【００２７】
２４は、デジタルコンテンツ消去処理制御部で、ユーザによって消去指定されたコピーデジタルコンテンツ１１１が、デジタルコンテンツコピー装置１により記録媒体２にコピー記録されたことがデジタルコンテンツ確認部２３によって確認された場合、前記コピーデジタルコンテンツ１１１を記録媒体２から消去すると共に、コピー元デジタルコンテンツ１０１の許容コピー個数を１個加算するようにコピー処理履歴管理部２２に指示する。このとき、消去日時もカウンタテーブル５０に記録される。
【００２８】
（デジタルコンテンツのコピー）
ここで、デジタルコンテンツのコピー処理について説明する。なお、許容コピー個数が設定されたデジタルコンテンツ１０１がＨＤＤ１５に記録され、記録媒体装着部１４に空の記録媒体２が装着されているものとする。
【００２９】
まず、ユーザが操作部１２を介して、ファイル名：デジタルコンテンツＸで特定される、ＨＤＤ１５に記録されているデジタルコンテンツ１０１を記録媒体２にコピーするように指示する。前記指示を受けたデジタルコンテンツコピー装置１のコピー／ムーブ制御部２１は、カウンタテーブル５０を参照し、当該デジタルコンテンツ１０１の許容コピー個数が０個でないことを確認する。０個でない場合には、コピー／ムーブ制御部２１は、デジタルコンテンツ１０１のコピーを記録媒体２に記録する。
【００３０】
このとき、コピー処理履歴管理部２２は、識別情報１１２を生成し、コピーデジタルコンテンツ１１１のヘッダ領域などに記録する。
【００３１】
そして、コピー／ムーブ制御部２１は、コピー処理履歴管理部２２に、デジタルコンテンツ１０１の許容コピー個数を１個減算するように指示する。
前記指示を受信した管理部２２は、当該受信した指示に基づき、カウンタテーブル５０を更新する。
【００３２】
なお、デジタルコンテンツ１０１の許容コピー個数が０個の場合や、記録媒体２の空容量がコピーデジタルコンテンツのデータ量未満の場合には、コピー処理を実行せず、制御部１６は、その旨を表示部１３に表示する。
【００３３】
（コピーデジタルコンテンツの消去）
ここでは、コピーデジタルコンテンツ１１１が記録されている記録媒体２が記録媒体装着部１４に装着されているとする。
【００３４】
ユーザが、操作部１２を介して、記録媒体２に記録されたコピーデジタルコンテンツ１１１の消去を指示する。
前記指示を受けたデジタルコンテンツコピー装置１のデジタルコンテンツ確認部２３は、消去指定されたコピーデジタルコンテンツ１１１のヘッダ領域に記録された識別情報１１２と、デジタルコンテンツコピー装置１のＨＤＤ１５に記録された識別情報とを照合し、消去指定されたコピーデジタルコンテンツ１１１がデジタルコンテンツコピー装置１により記録媒体２にコピー記録されたか否かを確認する。
【００３５】
なお、識別情報１１２は、前述のように、デジタルコンテンツコピー装置１を識別する識別情報、及び、コピー元デジタルコンテンツ１０１を識別する情報から構成されているので、消去指定されたコピーデジタルコンテンツ１１１が、デジタルコンテンツコピー装置１によってコピーされたデジタルコンテンツであるということだけでなく、コピー元デジタルコンテンツ１０１からコピーされたデジタルコンテンツであることも確認することができる。
【００３６】
両識別情報の一致により、消去指定されたコピーデジタルコンテンツ１１１がデジタルコンテンツコピー装置１により記録媒体２にコピー記録されたことが、デジタルコンテンツ確認部２３によって確認できた場合には、デジタルコンテンツ消去処理制御部２４は、コピーデジタルコンテンツ１１１を記録媒体２から消去し、識別情報１１２で識別されるコピー元デジタルコンテンツ１０１の許容コピー個数を１個加算するようにコピー処理履歴管理部２２に指示する。
前記確認ができない場合には、コピーデジタルコンテンツ１１１の消去のみ実行し、前記指示は実行しない。
【００３７】
前記指示を受けたコピー処理履歴管理部２２は、消去日時をカウンタテーブル５０に記録し、コピー元デジタルコンテンツ１０１の許容コピー個数を１個加算し、同テーブルを更新する。
【００３８】
このように、識別情報を照合するので、コピーデジタルコンテンツ１１１のファイル名などが変更された場合でも、消去指定されたコピーデジタルコンテンツ１１１がデジタルコンテンツコピー装置１により記録媒体２にコピー記録されたことを確認できる。
【００３９】
次に、デジタルコンテンツのコピー処理について、図４のフロー図を用いて説明する。
まず、ユーザが操作部１２を介して、ＨＤＤ１５に記録されているデジタルコンテンツ１０１を記録媒体２にコピーするようにデジタルコンテンツコピー装置１に指示する（ステップＳ１）。
コピー／ムーブ制御部２１は、カウンタテーブル５０を参照し、当該デジタルコンテンツ１０１の許容コピー個数が０個を超えるか否かを判定する（ステップＳ２）。
【００４０】
０個を超える場合には（ステップＳ２／ＹＥＳ）、コピー／ムーブ制御部２１は、デジタルコンテンツ１０１のコピーを記録媒体２に記録し、コピー処理履歴管理部２２は、識別情報を記録媒体２に記録する（ステップＳ３）。
次に、コピー処理履歴管理部２２は、カウンタテーブル５０の許容コピー個数を１個減算し、当該テーブル５０を更新する（ステップＳ４）。
【００４１】
０個の場合には（ステップＳ２／ＮＯ）、制御部１６は、コピー処理を実行しない旨を表示部１３に表示する（ステップＳ５）。
【００４２】
次に、コピーデジタルコンテンツの消去処理について図５のフロー図を用いて説明する。
まず、ユーザが操作部１２を介して、記録媒体２に記録されたコピーデジタルコンテンツ１１１を指定して消去を指示する（ステップＳ１１）。
【００４３】
デジタルコンテンツ確認部２３は、消去指定されたコピーデジタルコンテンツ１１１のヘッダ領域に記録された識別情報１１２と、デジタルコンテンツコピー装置１のＨＤＤ１５に記録された識別情報とを照合し、消去指定されたコピーデジタルコンテンツ１１１がデジタルコンテンツコピー装置１により記録媒体２にコピー記録されたか否かを確認する（ステップＳ１２）。
【００４４】
確認できた場合には（ステップＳ１３／ＹＥＳ）、デジタルコンテンツ消去処理制御部２４は、コピーデジタルコンテンツ１１１を記録媒体２から消去する（ステップＳ１４）。そして、コピー処理履歴管理部２２は、カウンタテーブル５０の許容コピー個数を１個加算し、当該テーブル５０を更新する（ステップＳ１５）。
【００４５】
確認できない場合（ステップＳ１３／ＮＯ）、デジタルコンテンツ消去処理制御部２４は、コピーデジタルコンテンツ１１１を記録媒体２から消去し（ステップＳ１６）、制御部１６は、消去処理のみを実行する旨を表示部１３に表示する（ステップＳ１７）。
【００４６】
（その他）
図５のステップＳ１２における、確認方法の他の例を示す。
コピーデジタルコンテンツ１１１をデジタルコンテンツコピー装置１本体の記録装置にコピー記録する場合には、コピーデジタルコンテンツ１１１のファイル名を識別情報として用いて確認してもよい。なお、コピーデジタルコンテンツ１１１を記録した記録媒体２がデジタルコンテンツコピー装置１から取り外されない場合も同様である。
【００４７】
また、上記の確認後、コピー元デジタルコンテンツ１０１とコピーデジタルコンテンツ１１１とのバイナリデータ比較を実行するようにしてもよい。
このようにすることで確認の精度を向上させることができる。
【００４８】
デジタルコンテンツ１０１、コピーデジタルコンテンツ１１１、識別情報１１２、及び、カウンタテーブル５０を暗号化して記録してもよいし、アクセス権原が設定される記録領域に記録してもよい。
【００４９】
記録媒体２、ＨＤＤ１５は、複数あってもよく、これらは、外付けでも内蔵機器でもよい。
ＨＤＤ１５の他にも、大容量メモリ、ＣＤ、ＤＶＤ、ＢＤ（Blu-ray Disc）を記録装置として用いることができる。
記録媒体２として、ＨＤＤ、ＣＤ、ＤＶＤ、ＢＤ、携帯型音楽再生端末を用いることができる。他にも、ネットワークを介して接続される外部記録装置であってもよい。
デジタルコンテンツは、記録媒体装着部１４を介してＤＶＤ等の記録媒体から取得してもよい。また、ケーブルテレビ放送、デジタル放送、ブロードバンドＶＯＤ等を受信可能なＳＴＢ（Set-top box）にデジタルコンテンツコピー装置１を接続し、前記ＳＴＢからデジタルコンテンツを取得してもよい。
【図面の簡単な説明】
【００５０】
【図１】本発明に係わるデジタルコンテンツコピー装置の機能を説明するためのブロック図である。
【図２】カウンタテーブルの一例である。
【図３】記録媒体に記録される識別情報の一例を示した図である。
【図４】デジタルコンテンツのコピー処理を説明するためのフロー図である。
【図５】コピーデジタルコンテンツの消去処理を説明するためのフロー図である。
【符号の説明】
【００５１】
１…デジタルコンテンツコピー装置、２…記録媒体、１１…ネットワークＩ／Ｆ、１２…操作部、１３…表示部、１４…記録媒体装着部、１５…ＨＤＤ、１６…制御部、２１…コピー／ムーブ制御部、２２…コピー処理履歴管理部、２３…デジタルコンテンツ確認部、２４…デジタルコンテンツ消去処理制御部、５０…カウンタテーブル、１０１…（コピー元）デジタルコンテンツ、１１１…コピーデジタルコンテンツ、１１２…識別情報。
【図１】
2010015225.tif 000003
【図２】
2010015225.tif 000004
【図３】
2010015225.tif 000005
【図４】
2010015225.tif 000006
【図５】
2010015225.tif 000007